(57)【要約】【課題】ユーザの利便性の向上と消費電力の低減を良好に図ることができる電子機器、表示制御方法およびプログラムを提供する。【解決手段】制御部１１は、ディスプレイ３に表示された画面がスクロール可能なスクロール対象領域を含む場合であって、スクロール対象領域が、スクロール対象領域中の表示内容の最終部分がディスプレイ３に表示されるスクロール位置までスクロールされていないとの第１条件が満たされるときは、画面がスクロール対象領域を含まない場合に比べて制限時間を長くする、または、制限時間に基づくディスプレイ３の減灯または消灯を行わない第１制御を実行する。一方、制御部１１は、ディスプレイ３に表示された画面がスクロール対象領域を含む場合であって、第１条件が満たされないときは、第１制御に比べて制限時間を短くする、または、制限時間に基づくディスプレイ３の減灯または消灯を行う第２制御を実行する。【選択図】図２
2014191543.tif 000002
【特許請求の範囲】
【請求項１】
表示部と、
操作を受け付ける操作受付部と、
前記操作受付部により操作が受け付けられない時間が制限時間を超えたことに基づいて前記表示部を減灯または消灯させる表示制御部と、を備え、
前記表示制御部は、
前記表示部に表示された画面がスクロール可能なスクロール対象領域を含む場合であって、前記スクロール対象領域が、前記スクロール対象領域中の表示内容の最終部分が前記表示部に表示されるスクロール位置までスクロールされていないとの第１条件が満たされるときは、前記画面が前記スクロール対象領域を含まない場合に比べて前記制限時間を長くする、または、前記制限時間に基づく前記表示部の減灯または消灯を行わない第１制御を実行し、
前記画面が前記スクロール対象領域を含む場合であって、前記第１条件が満たされないときは、前記第１制御に比べて前記制限時間を短くする、または、前記制限時間に基づく前記表示部の減灯または消灯を行う第２制御を実行する、
ことを特徴とする電子機器。
【請求項２】
請求項１に記載の電子機器において、
前記表示制御部は、前記表示部に表示された画面が前記スクロール対象領域を含む場合に、
前記第１条件が満たされ、且つ、前記スクロール対象領域の現在のスクロール位置が、スクロールが開始されてから開始位置と最も離れているとの第２条件が満たされたときは、前記第１制御を実行し、
前記第１条件および前記第２条件の何れかが満たされないときは、前記第２制御を実行する、
ことを特徴とする電子機器。
【請求項３】
請求項１または２に記載の電子機器において、
撮影部を、さらに備え、
前記表示制御部は、前記撮影部によりユーザの顔が撮影されていない場合、前記第１制御を実行しない、
ことを特徴とする電子機器。
【請求項４】
請求項１ないし３の何れか一項に記載の電子機器において、
前記電子機器の向きを検出する向き検出部を、さらに備え、
前記表示制御部は、前記向き検出部による検出の結果、前記電子機器が水平な状態に保たれている場合、前記第１制御を実行しない、
ことを特徴とする電子機器。
【請求項５】
請求項１ないし４の何れか一項に記載の電子機器において、
前記電子機器の周囲の明るさを検出する照度検出部を、さらに備え、
前記表示制御部は、前記電子機器の周囲の明るさが所定量より大きく低下した場合、前記第１制御を実行しない、
ことを特徴とする電子機器。
【請求項６】
請求項１ないし５の何れか一項に記載の電子機器において、
報知のための動作を行う報知部と、
前記制限時間が経過する前に前記報知部を動作させる報知制御部と、をさらに備える、ことを特徴とする電子機器。
【請求項７】
請求項１ないし６の何れか一項に記載の電子機器において、
複数のアプリケーションの中から選択されたアプリケーションを前記第１制御または前記第２制御を行う調整対象に設定する設定部を、さらに備え、
前記表示制御部は、前記スクロール対象領域を含む前記画面が、前記設定部により前記調整対象に設定されたアプリケーションに係る画面である場合に、前記第１制御または前記第２制御を行う、
ことを特徴とする電子機器。
【請求項８】
表示部と、操作を受け付ける操作受付部とを備え、前記操作受付部により操作が受け付けられない時間が制限時間を超えたことに基づいて前記表示部を減灯または消灯させる電子機器の表示制御方法であって、
前記表示部に表示された画面がスクロール可能なスクロール対象領域を含む場合であって、前記スクロール対象領域が、前記スクロール対象領域中の表示内容の最終部分が前記表示部に表示されるスクロール位置までスクロールされていないとの第１条件が満たされるときは、前記画面が前記スクロール対象領域を含まない場合に比べて前記制限時間を長くする、または、前記制限時間に基づく前記表示部の減灯または消灯を行わない第１制御を実行するステップと、
前記画面が前記スクロール対象領域を含む場合であって、前記第１条件が満たされないときは、前記第１制御に比べて前記制限時間を短くする、または、前記制限時間に基づく前記表示部の減灯または消灯を行う第２制御を実行するステップと、
を含む表示制御方法。
【請求項９】
表示部と、操作を受け付ける操作受付部とを備え、前記操作受付部により操作が受け付けられない時間が制限時間を超えたことに基づいて前記表示部を減灯または消灯させる電子機器のコンピュータに、
前記表示部に表示された画面がスクロール可能なスクロール対象領域を含む場合であって、前記スクロール対象領域が、前記スクロール対象領域中の表示内容の最終部分が前記表示部に表示されるスクロール位置までスクロールされていないとの第１条件が満たされるときは、前記画面が前記スクロール対象領域を含まない場合に比べて前記制限時間を長くする、または、前記制限時間に基づく前記表示部の減灯または消灯を行わない第１制御を実行する機能と、
前記画面が前記スクロール対象領域を含む場合であって、前記第１条件が満たされないときは、前記第１制御に比べて前記制限時間を短くする、または、前記制限時間に基づく前記表示部の減灯または消灯を行う第２制御を実行する機能と、
を付与するプログラム。
【発明の詳細な説明】
【技術分野】
【０００１】
本発明は、携帯電話機、パーソナルコンピュータ、ＰＤＡ（PersonalDigital Assistant）、タブレットＰＣ（Tablet PC）、ミュージックプレイヤー、ナビゲーションシステム、電子書籍端末等の電子機器に関する。また、本発明は、かかる電子機器に用いて好適な表示制御方法およびプログラムに関する。
【背景技術】
【０００２】
従来、ディスプレイを備える電子機器では、消費電力を抑えるために、電子機器が操作されていない時間が予め定められた制限時間を超えると、ディスプレイが減灯あるいは消灯される。
【０００３】
ユーザがディスプレイに表示された電子メール、ウェブページ等の文書を閲覧する場合、閲覧中はユーザによる電子機器への操作の頻度が低下する。このため、上記の電子機器では、ユーザが文書を閲覧している最中に意図せずディスプレイが減灯あるいは消灯してしまう場合がある。
【０００４】
上記課題に対し、たとえば、電子メール等、文書の文字数に応じて制限時間を調整する構成が採られ得る（特許文献１参照）。
【先行技術文献】
【特許文献】
【０００５】
【特許文献１】特開２００２−１２３２３１号公報
【発明の概要】
【発明が解決しようとする課題】
【０００６】
ユーザの利便性を向上させるためには、ディスプレイに文書が表示されている場合に制限時間が長くされることが望ましい。しかしながら、消費電力の低減をより図るためには、ディスプレイに文書が表示されている場合であっても、ユーザが文書の閲覧を終えているような場合には制限時間が長くされないことがより望ましい。
【０００７】
そこで、本発明は、ユーザの利便性の向上と消費電力の低減を良好に図ることができる、電子機器、表示制御方法およびプログラムを提供することを目的とする。
【課題を解決するための手段】
【０００８】
本発明の第１の態様に係る電子機器は、表示部と、操作を受け付ける操作受付部と、前記操作受付部により操作が受け付けられない時間が制限時間を超えたことに基づいて前記表示部を減灯または消灯させる表示制御部と、を備える。ここで、前記表示制御部は、前記表示部に表示された画面がスクロール可能なスクロール対象領域を含む場合であって、前記スクロール対象領域が、前記スクロール対象領域中の表示内容の最終部分が前記表示部に表示されるスクロール位置までスクロールされていないとの第１条件が満たされるときは、前記画面が前記スクロール対象領域を含まない場合に比べて前記制限時間を長くする、または、前記制限時間に基づく前記表示部の減灯または消灯を行わない第１制御を実行する。一方、前記表示制御部は、前記画面が前記スクロール対象領域を含む場合であって、前記第１条件が満たされないときは、前記第１制御に比べて前記制限時間を短くする、または、前記制限時間に基づく前記表示部の減灯または消灯を行う第２制御を実行する。
【０００９】
本態様に係る電子機器において、前記表示制御部は、前記表示部に表示された画面が前記スクロール対象領域を含む場合に、前記第１条件が満たされ、且つ、前記スクロール対象領域の現在のスクロール位置が、スクロールが開始されてから開始位置と最も離れているとの第２条件が満たされたときは、前記第１制御を実行する。一方、前記表示制御部は、前記画面が前記スクロール対象領域を含む場合に、前記第１条件および前記第２条件の何れかが満たされないときは、前記第２制御を実行する。
【００１０】
本態様に係る電子機器は、撮影部を、さらに備えるような構成とされ得る。この場合、前記表示制御部は、前記撮影部によりユーザの顔が撮影されていない場合、前記第１制御を実行しない。
【００１１】
本態様に係る電子機器は、前記電子機器の向きを検出する向き検出部を、さらに備えるような構成とされ得る。この場合、前記表示制御部は、前記向き検出部による検出の結果、前記電子機器が水平な状態に保たれている場合、前記第１制御を実行しない。
【００１２】
本態様に係る電子機器は、前記電子機器の周囲の明るさを検出する照度検出部を、さらに備えるような構成とされ得る。この場合、前記表示制御部は、前記電子機器の周囲の明るさが所定量より大きく低下した場合、前記第１制御を実行しない。
【００１３】
本態様に係る電子機器は、報知のための動作を行う報知部と、前記制限時間が経過する前に前記報知部を動作させる報知制御部と、をさらに備えるような構成とされ得る。
【００１４】
本態様に係る電子機器は、複数のアプリケーションの中から選択されたアプリケーションを前記第１制御または前記第２制御を行う調整対象に設定する設定部を、さらに備えるような構成とされ得る。この場合、前記表示制御部は、前記スクロール対象領域を含む前記画面が、前記設定部により前記調整対象に設定されたアプリケーションに係る画面である場合に、前記第１制御または前記第２制御を行う。
【００１５】
本発明の第２の態様は、表示部と、操作を受け付ける操作受付部とを備え、前記操作受付部により操作が受け付けられない時間が制限時間を超えたことに基づいて前記表示部を減灯または消灯させる電子機器の表示制御方法に関する。本態様に係る表示制御方法は、前記表示部に表示された画面がスクロール可能なスクロール対象領域を含む場合であって、前記スクロール対象領域が、前記スクロール対象領域中の表示内容の最終部分が前記表示部に表示されるスクロール位置までスクロールされていないとの第１条件が満たされるときは、前記画面が前記スクロール対象領域を含まない場合に比べて前記制限時間を長くする、または、前記制限時間に基づく前記表示部の減灯または消灯を行わない第１制御を実行するステップと、前記画面が前記スクロール対象領域を含む場合であって、前記第１条件が満たされないときは、前記第１制御に比べて前記制限時間を短くする、または、前記制限時間に基づく前記表示部の減灯または消灯を行う第２制御を実行するステップと、を含む。
【００１６】
本発明の第３の態様に係るプログラムは、表示部と、操作を受け付ける操作受付部とを備え、前記操作受付部により操作が受け付けられない時間が制限時間を超えたことに基づいて前記表示部を減灯または消灯させる電子機器のコンピュータに、前記表示部に表示された画面がスクロール可能なスクロール対象領域を含む場合であって、前記スクロール対象領域が、前記スクロール対象領域中の表示内容の最終部分が前記表示部に表示されるスクロール位置までスクロールされていないとの第１条件が満たされるときは、前記画面が前記スクロール対象領域を含まない場合に比べて前記制限時間を長くする、または、前記制限時間に基づく前記表示部の減灯または消灯を行わない第１制御を実行する機能と、前記画面が前記スクロール対象領域を含む場合であって、前記第１条件が満たされないとき
は、前記第１制御に比べて前記制限時間を短くする、または、前記制限時間に基づく前記表示部の減灯または消灯を行う第２制御を実行する機能と、を付与する。
【発明の効果】
【００１７】
本発明によれば、ユーザの利便性の向上と消費電力の低減を良好に図ることができる、電子機器、表示制御方法およびプログラムを提供することができる。
【００１８】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１９】
【図１】実施の形態に係る、携帯電話機の構成を示す図である。
【図２】実施の形態に係る、携帯電話機の全体構成を示すブロック図である。
【図３】実施の形態に係る、スクロール可能なメール本文を含むメール閲覧画面がディスプレイに表示された例を示す図である。
【図４】実施の形態に係る、スクロール可能なウェブページを含むウェブ画面がディスプレイに表示された例を示す図である。
【図５】実施の形態に係る、省電力制御処理を示すフローチャートである。
【図６】変更例１に係る、制限時間調整処理を示すフローチャートである。
【図７】変更例２および変更例３に係る、制限時間調整処理を示すフローチャートである。
【図８】変更例４に係る、省電力制御処理を示すフローチャートである。
【図９】変更例５に係る、省電力制御処理を示すフローチャートである。
【図１０】変更例６に係る、予告報知処理を示すフローチャートである。
【図１１】変更例７に係る、ユーザ設定処理について説明するための図である。
【図１２】変更例７に係る、制限時間調整処理を示すフローチャートである。
【図１３】変更例１の構成が変更例４の構成に適用された場合の省電力制御処理を示すフローチャートである。
【図１４】変更例２の構成が変更例４の構成に適用された場合および変更例３の構成が変更例４の構成に適用された場合の省電力制御処理を示すフローチャートである。
【図１５】その他の変更例に係る、携帯電話機の全体構成を示すブロック図である。
【図１６】その他の変更例に係る、制限時間調整処理を示すフローチャートである。
【発明を実施するための形態】
【００２０】
以下、本発明の実施形態について、図面を参照して説明する。
【００２１】
図１（ａ）、（ｂ）および（ｃ）は、それぞれ、携帯電話機１の正面図、背面図および右側面図である。以下、説明の便宜上、図１（ａ）〜（ｃ）に示すように、キャビネット２の長手方向を上下方向と定義し、キャビネット２の短手方向を左右方向と定義する。
【００２２】
図１に示されるように、携帯電話機１は、キャビネット２と、ディスプレイ３と、タッチパネル４と、マイクロフォン５と、通話スピーカ６と、外部スピーカ７とを含む。
【００２３】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、たとえば、液晶ディスプレイである。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、
光検知式等、各種方式のタッチパネルが用いられ得る。
【００２４】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２５】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２６】
キャビネット２の上部には、正面側にインカメラ８が配されており、背面側にアウトカメラ９が配されている。インカメラ８は、携帯電話機１の正面方向に存在する被写体を撮影する。アウトカメラ９は、携帯電話機１の背面方向に存在する被写体を撮影する。
【００２７】
図２は、携帯電話機１の全体構成を示すブロック図である。
【００２８】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９と、振動発生部２０と、撮影部２１と、向き検出部２２とを含む。
【００２９】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーション（たとえば、ホーム、電話、電子メール、ウェブブラウザ、地図、ゲーム、スケジュール管理、等）を含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００３０】
記憶部１２には、プログラムの実行の際、一時的に利用または生成されるデータを記憶するワーキング領域も含まれる。
【００３１】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９、振動発生部２０、撮影部２１、向き検出部２２等）を制御する。
【００３２】
画像出力部１３は、図１に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。
【００３３】
タッチ検出部１４は、図１に示すタッチパネル４を含み、タッチパネル４に対するタッチ操作を検出する。より具体的には、タッチ検出部１４は、タッチパネル４に対する、ユーザの指などの接触対象の接触位置（以下、「タッチ位置」と称する）を検出する。タッチ検出部１４は、検出したタッチ位置に基づいて生成された位置信号を制御部１１へ出力
する。
【００３４】
ユーザは、タッチパネル４が設けられることにより、タッチパネル４に指を触れることにより様々なタッチ操作を行うことができる。タッチ操作は、たとえば、タップ操作、フリック操作、スライド操作等を含む。タップ操作とは、ユーザがタッチパネル４に指を接触させた後、短時間のうちに指をタッチパネル４から離す操作である。フリック操作とは、ユーザがタッチパネル４に指を接触させた後、タッチパネル４を指で任意の方向に弾く操作である。スライド操作とは、ユーザがタッチパネル４に指を接触させたまま、任意の方向へ指を移動させる操作である。
【００３５】
たとえば、タッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００３６】
音声入力部１５は、マイクロフォン５を含む。音声入力部１５は、マイクロフォン５からの電気信号を音声処理部１７へ出力する。
【００３７】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００３８】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００３９】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００４０】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４１】
振動発生部２０は、バイブレータを含む。振動発生部２０は、制御部１１からの制御信号に基づき、バイブレータを振動させる。バイブレータの振動がキャビネット２に伝達されて、キャビネット２が振動する。
【００４２】
撮影部２１は、図１（ａ）に示すインカメラ８と図１（ｂ）に示すアウトカメラ９とを含む。撮影部２１は、インカメラ８およびアウトカメラ９により撮影された画像の画像データに各種の画像処理を施し、画像処理後の画像データを制御部１１に出力する。
【００４３】
向き検出部２２は、３軸加速度センサ等を含む。３軸加速度センサは、携帯電話機１の前後方向、左右方向および上下方向に作用する重力加速度を検出する。向き検出部２２は
、３軸加速度センサの検出結果に基づいて携帯電話機１の向きを検出し、検出した携帯電話機１の向きに応じた検出信号を制御部１１へ出力する。たとえば、携帯電話機１が机に置かれることにより、携帯電話機１が水平な状態（ディスプレイ３が鉛直方向を向く状態）に保たれている場合、向き検出部２２は、水平状態に対応する検出信号を出力する。携帯電話機１が縦向き（キャビネット２の長手方向が鉛直方向に沿う方向）となるようユーザに保持された場合、向き検出部２２は、縦向きに対応する検出信号を出力する。携帯電話機１が横向き（キャビネット２の長手方向が水平方向に沿う方向）となるようユーザに保持された場合、向き検出部２２は、横向きに対応する検出信号を出力する。
【００４４】
各種のアプリケーションが制御部１１によって実行されると、その実行画面がディスプレイ３に表示される。実行画面は、スクロール可能なスクロール対象領域を含み得る。
【００４５】
図３は、スクロール可能なメール本文を含むメール閲覧画面がディスプレイ３に表示された例を示す図である。たとえば、図３（ａ）および（ｂ）に示すように、メール本文全体の表示に必要な画面領域Ｒ２のサイズが、メール閲覧画面においてメール本文の表示に割り当てられた画面領域Ｒ１のサイズよりも上下方向に大きい場合に、制御部１１は、メール本文が表わされる画面領域Ｒ１をスクロール対象領域に設定する。スクロール対象領域である画面領域Ｒ１、すなわち、画面領域Ｒ１に表わされたメール本文が上下方向にスクロール可能となる。制御部１１は、画面領域Ｒ１の右隣りにスクロールバー１０１を表示する。なお、説明の便宜上、図３では、画面領域Ｒ１およびＲ２が太枠により示されている。
【００４６】
制御部１１は、画面領域Ｒ１をスクロールするためのスクロール操作を受け付ける。スクロール操作は、スクロールバー１０１のノブ１０１ａに対する上下方向のドラッグ操作、および、画面領域Ｒ１に対する上下方向のフリック操作またはスライド操作を含む。ドラッグ操作により、ノブ１０１ａが下方に移動された場合、制御部１１は、メール本文を上方に移動させ、移動前より下方の部分を画面領域Ｒ１に表示させる。上方向へのフリック操作またはスライド操作がなされた場合も、制御部１１は、メール本文を上方に移動させ、移動前より下方の部分を画面領域Ｒ１に表示させる。図３（ｃ）に示すように、画面領域Ｒ１が終了位置までスクロールされると、メール本文の最終部分がディスプレイ３に表示される。制御部１１は、それ以上、メール本文を上方に移動させる方向へのスクロール操作を受け付けない。このとき、ノブ１０１ａは、スクロールバー１０１の下端に位置する。
【００４７】
図４は、スクロール可能なウェブページを含むウェブ画面がディスプレイ３に表示された例を示す図である。たとえば、図４（ａ）および（ｂ）に示すように、ウェブページ全体の表示に必要な画面領域Ｒ４のサイズが、ウェブ画面においてウェブページの表示に割り当てられた画面領域Ｒ３のサイズよりも上下方向に大きい場合に、制御部１１は、ウェブページが表わされる画面領域Ｒ３をスクロール対象領域に設定する。スクロール対象領域である画面領域Ｒ３、すなわち、画面領域Ｒ３に表わされたウェブページが上下方向にスクロール可能となる。なお、説明の便宜上、図４では、画面領域Ｒ３およびＲ４が太枠により示されている。
【００４８】
制御部１１は、スクロール操作として、画面領域Ｒ３に対する上下方向のフリック操作またはスライド操作を受け付ける。上方向へのフリック操作またはスライド操作がなされた場合、制御部１１は、ウェブページを上方に移動させ、移動前より下方の部分を画面領域Ｒ３に表示させる。図４（ｃ）に示すように、画面領域Ｒ３が終了位置までスクロールされると、ウェブページの最終部分がディスプレイ３に表示される。制御部１１は、それ以上、ウェブページを上方に移動させる方向へのスクロール操作を受け付けない。
【００４９】
なお、図３および図４に示すように、実行画面（メール閲覧画面、ウェブ画面）には、上部に通知バー１０２が配置され、下部に操作キー群１０３が配置される。アプリケーションによっては、通知バー１０２および操作キー群１０３の少なくとも一方が実行画面に含まれない場合がある。通知バー１０２は、現在時刻、バッテリー残量を示す残量メータ、電波の強度を示す強度メータ等を含む。操作キー群１０３は、設定キー１０３ａ、ホームキー１０３ｂ、およびバックキー１０３ｃから構成されている。設定キー１０３ａは、主に、各種設定を行う設定画面をディスプレイ３に表示させるためのキーである。ホームキー１０３ｂは、主に、ディスプレイ３の表示を他の画面からホーム画面に移行させるためのキーである。バックキー１０３ｃは、主に、実行された処理を１ステップ前の処理に戻すためのキーである。
【００５０】
なお、実行画面によっては、通知バー１０２および操作キー群１０３を除く領域全体がスクロール対象領域となる場合がある。さらに、実行画面が、通知バー１０２および操作キー群１０３を含まない場合に、実行画面全体がスクロール対象領域となる場合がある。
【００５１】
従来、携帯電話機では、消費電力を抑えるため、携帯電話機への操作が行われない時間が予め定められた制限時間を超えると、ディスプレイが減灯あるいは消灯される。
【００５２】
図３および図４のように、実行画面がスクロール対象領域を含む場合、ユーザは、スクロール操作を行いながら順次、スクロール対象領域に表わされた表示内容（メール本文、ウェブページ等）を閲覧していく。このような場合、スクロール操作等、携帯電話機１への操作は途切れがちとなるが、ユーザが表示内容を閲覧している間は、上記のような省電力機能よってディスプレイ３が減灯あるいは消灯されないことが望ましい。
【００５３】
本実施の形態の携帯電話機１では、以下に説明する通り、ユーザが表示内容を閲覧している最中に、意図せずディスプレイ３が減灯あるいは消灯されることを抑制可能な省電力制御処理が制御部１１により実行される。
【００５４】
図５（ａ）は、省電力制御処理を示すフローチャートであり、図５（ｂ）は、省電力処理に含まれる制限時間調整処理を示す図である。
【００５５】
省電力制限処理が開始されると、制御部１１は、第１制限時間を調整する制限時間調整処理を実行する（Ｓ１０１）。第１制限時間は、ディスプレイ３へのタッチ操作、ハードキーへの操作等、携帯電話機１への操作が行われない場合に、制御部１１がディスプレイ３の輝度を低下させるまでの制限時間である。
【００５６】
図５（ｂ）に示すように、制御部１１は、現在、ディスプレイ３に表示されている実行画面がスクロール対象領域を含むか否かを判定する（Ｓ２０１）。実行画面がスクロール対象領域を含まない場合、閲覧される表示内容が少ないため、閲覧によって操作が途切れがちとなることは生じにくい。よって、制御部１１は、実行画面がスクロール対象領域を含まないと判定すると（Ｓ２０１：ＮＯ）、第１制限時間に第１時間（たとえば、１５秒）を設定する（Ｓ２０２）。
【００５７】
一方、図３および図４のように、実行画面がスクロール対象領域を含む場合、ユーザが表示内容を閲覧している最中であれば、ユーザによる閲覧を中断させないために、次回の操作までに多少時間を要してもディスプレイ３の輝度を低下させないことが望ましい。そこで、制御部１１は、実行画面がスクロール対象領域を含むと判定すると（Ｓ２０１：ＹＥＳ）、次に、スクロール対象領域が終了位置までスクロールされている否かを判定する（Ｓ２０３）。
【００５８】
スクロール対象領域が終了位置までスクロールされていない場合、すなわち、表示内容の最終部分がディスプレイ３に表示されていない場合には、ユーザは、表示内容を閲覧している最中である可能性が高い。よって、制御部１１は、スクロール対象領域が終了位置までスクロールされていないと判定すると（Ｓ２０３：ＮＯ）、第１制限時間に第１時間より長い第２時間（たとえば、３０秒）を設定する（Ｓ２０４）。
【００５９】
一方、スクロール対象領域が終了位置までスクロールされている、すなわち、表示内容の最終部分が既にディスプレイ３に表示されている場合、ユーザは、表示内容の閲覧を終えている可能性が高い。よって、制御部１１は、スクロール対象領域が終了位置までスクロールされていると判定すると（Ｓ２０３：ＹＥＳ）、第１制限時間に第１時間を設定する（Ｓ２０２）。
【００６０】
なお、図５（ｂ）の制限時間調整処理では、スクロールの終了位置が、表示内容の最終部分がディスプレイ３に表示されるスクロール位置とされ、スクロール対象領域が終了位置までスクロールされたか否かがステップＳ２０３において判定されている。しかしながら、スクロール対象領域の下方に余白領域が比較的多く存在することにより、スクロール対象領域が終了位置までスクロールされる前に表示内容の最終部分がディスプレイ３に表示されるような場合には、表示内容の最終部分がディスプレイ３に表示される位置であって終了位置よりも前の所定のスクロール位置が、ステップＳ２０３の判定に用いられても良い。
【００６１】
こうして、第１制限時間に第１時間または第２時間が設定されると、制御部１１は、タイマーを作動させ、時間を計測する（Ｓ１０２）。タイマーは、たとえば、制御部１１に内蔵されている。制御部１１は、第１制限時間を経過する前に携帯電話機１への操作が行われたか否かを判定する（Ｓ１０３、Ｓ１０４）。第１制限時間が経過する前に操作が行われた場合（Ｓ１０３：ＹＥＳ）、制御部１１は、タイマーをリセットする（Ｓ１０５）。ステップＳ１０１の処理に戻り、制御部１１は、再び、制限時間調整処理を実行する。第１制限時間が経過するまでに次の操作が行われている間、ステップＳ１０１からステップＳ１０５までの処理が繰り返される。
【００６２】
一方、携帯電話機１への操作が行われないまま、第１制限時間が経過した場合（Ｓ１０３：ＮＯ→Ｓ１０４：ＹＥＳ）、制御部１１は、ディスプレイ３の輝度を低下させる（Ｓ１０６）。
【００６３】
上記の通り、ステップＳ１０１の制限時間調整処理が実行されることによって、ユーザが表示内容を閲覧している最中である可能性が高い場合には、第１制限時間が第１時間よりも長い第２時間に設定される。このため、閲覧の最中、携帯電話機１への操作が途切れがちになっても、ディスプレイ３の輝度が低下されにくい。
【００６４】
ディスプレイ３の輝度を低下させると、制御部１１は、タイマーをリセットし、再び作動させる（Ｓ１０７）。制御部１１は、ディスプレイ３の輝度が低下してから第２制限時間（たとえば、１０秒）を経過する前に携帯電話機１への操作が行われたか否かを判定する（Ｓ１０８、Ｓ１０９）。第２制限時間が経過する前に操作が行われた場合（Ｓ１０８：ＹＥＳ）、制御部１１は、ディスプレイ３の輝度を元の状態に回復させた後（Ｓ１１０）、タイマーをリセットする（Ｓ１１１）。そして、ステップＳ１０１の処理に戻り、制御部１１は、再び、制限時間調整処理を実行する。
【００６５】
一方、携帯電話機１への操作が行われないまま、第２制限時間が経過した場合（Ｓ１０８：ＮＯ→Ｓ１０９：ＹＥＳ）、制御部１１は、ディスプレイ３を消灯させる（Ｓ１１２）。そして、制御部１１は、タイマーをリセットし（Ｓ１１３）、省電力制御処理を終了
する。
【００６６】
本実施の形態の携帯電話機１では、制御部１１は、ディスプレイ３を消灯させると同時に、ロック機能を設定する。ロック機能が設定されると、制御部１１は、携帯電話機１への操作を無効とする。ただし、制御部１１は、ロック機能の解除画面をディスプレイ３に表示させるための表示操作（たとえば、所定のハードキーへの操作）および解除画面へのロック機能を解除するための解除操作は有効とする。解除操作が行われると、制御部１１は、ロック機能を解除し、消灯前に表示されていた実行画面をディスプレイ３に表示させる。表示操作によってディスプレイ３に解除画面が表示されたときに、再び、省電力制御処理が開始される。
【００６７】
以上、本実施の形態によれば、実行画面がスクロール対象領域を含む場合であって、スクロール対象領域が、その表示内容の最終部分がディスプレイ３に表示される状態までスクロールされていない場合に、実行画面がスクロール対象領域を含まない場合に比べて第１制限時間が長く設定される。これにより、ユーザが表示内容を閲覧している最中に意図せずディスプレイ３が減灯される可能性が低くなる。よって、ユーザの利便性を向上できる。
【００６８】
さらに、上記実施の形態によれば、表示内容の最終部分がディスプレイ３に表示される状態までスクロールされている場合には、そうでない場合に比べて第１制限時間が短く設定される。これにより、ユーザが表示内容の閲覧を終了して携帯電話機１の使用をやめた場合、早くディスプレイ３を減灯できる。
【００６９】
したがって、本実施の形態によれば、ユーザの利便性の向上と消費電力の低減を良好に図ることができる。
【００７０】
以上、本発明の実施の形態について説明したが、本発明は、上記実施の形態等によって何ら制限されるものではなく、また、本発明の実施の形態も、上記以外に種々の変更が可能である。
【００７１】
＜変更例１＞
図６は、変更例１に係る、制限時間調整処理を示すフローチャートである。
【００７２】
本変更例では、図５（ｂ）の制限時間調整処理に対して、ステップＳ２１１の判定処理が付加される。すなわち、制御部１１は、スクロール対象領域が終了位置までスクロールされていないと判定すると（Ｓ２０３：ＮＯ）、次に、スクロール対象領域の現在のスクロール位置が、スクロールが開始されてから開始位置と最も離れているか否かを判定する（Ｓ２１１）。
【００７３】
たとえば、制御部１１は、実行画面が表示されてからスクロール対象領域のスクロールが開始されると、スクロール操作が終わる度に、スクロール位置を検出する。携帯電話機１が、スクロール位置の値が開始位置より離れるほど大きくなる構成である場合、制御部１１は、スクロール位置が最大となる度に、最大のスクロール位置を記憶部１２に記憶する。現在のスクロール位置が記憶部１２に記憶された最大のスクロール位置と等しいか大きい場合、制御部１１は、スクロール対象領域の現在のスクロール位置が、スクロールが開始されてから開始位置と最も離れていると判定する。
【００７４】
現在のスクロール位置が開始位置と最も離れている場合は、ユーザによりスクロール対象領域の表示内容が読み進められている、すなわち、表示内容の閲覧が継続されている可能性が高い。よって、制御部１１は、現在のスクロール位置が開始位置と最も離れている
と判定すると（Ｓ２１１：ＹＥＳ）、第１制限時間に第２時間を設定する（Ｓ２０４）。
【００７５】
一方、現在のスクロール位置が開始位置と最も離れていない場合は、ユーザが所望の範囲の閲覧を終えて表示内容を戻したと考えられ得る。この場合は、ユーザが閲覧を行っていない可能性が高い。よって、制御部１１は、現在のスクロール位置が開始位置と最も離れていないと判定すると（Ｓ２１１：ＮＯ）、第１制限時間に第１時間を設定する（Ｓ２０２）。
【００７６】
本変更例によれば、ユーザは表示内容の閲覧を終えているか否かの判定を、より詳細に行うことができ、一層、消費電力を抑制することが可能となる。
【００７７】
＜変更例２＞
図７（ａ）は、変更例２に係る、制限時間調整処理を示すフローチャートである。
【００７８】
本変更例では、図５（ｂ）の制限時間調整処理に対して、ステップＳ２２１ないしステップＳ２２４の処理が付加される。制御部１１は、実行画面がスクロール対象領域を含むと判定すると（Ｓ２０１：ＹＥＳ）、次に、撮影部２１を制御してインカメラ８を作動させる（Ｓ２２１）。制御部１１は、顔検出処理を行い（Ｓ２２２）、インカメラ８により顔が撮影されているか否かを判定する（Ｓ２２３）。
【００７９】
インカメラ８は、携帯電話機１（デイスプレイ３）に向けられているユーザの顔を撮影可能である。ユーザが携帯電話機１を使用している場合、インカメラ８により顔が撮影される。よって、制御部１１は、インカメラ８により顔が撮影されていると判定すると（Ｓ２２３：ＹＥＳ）、ステップＳ２０３の処理に進み、スクロール対象領域が終了位置までスクロールされているか否かに応じて、第１制限時間に第１時間または第２時間を設定する（Ｓ２０２、Ｓ２０４）。
【００８０】
一方、インカメラ８により顔が撮影されていない場合は、ユーザが携帯電話機１を使用していない可能性が高い。よって、制御部１１は、インカメラ８により顔が撮影されていないと判定すると（Ｓ２２３：ＮＯ）、第１制限時間に第１時間を設定する（Ｓ２０２）。
【００８１】
第１制限時間が設定されると、制御部１１は、インカメラ８を停止し（Ｓ２２４）、制限時間調整処理を終了する。
【００８２】
本変更例によれば、インカメラ８により顔が撮影されていない場合は、スクロール対象領域が終了位置までスクロールされているか否かに寄らず、第１制限時間が第２時間に設定されることがない。よって、携帯電話機１が使用されていないにもかかわらず、ディスプレイ３が長く通常の輝度のままに維持されることを防止でき、消費電力を一層抑制できる。
【００８３】
＜変更例３＞
図７（ｂ）は、変更例３に係る、制限時間調整処理を示すフローチャートである。
【００８４】
本変更例では、図５（ｂ）の制限時間調整処理に対して、ステップＳ２３１およびステップＳ２３２の処理が付加される。制御部１１は、実行画面がスクロール対象領域を含むと判定すると（Ｓ２０１：ＹＥＳ）、次に、向き検出部２２により携帯電話機１の向きを検出し（Ｓ２３１）、携帯電話機１が水平な状態に保たれているか否かを判定する（Ｓ２３２）。
【００８５】
ユーザは携帯電話機１を手に持って使用する場合が多く、この場合、ユーザはディスプレイ３が見やすいように携帯電話機１を傾けること多い。よって、携帯電話機１が水平な状態に保たれていない場合は、ユーザにより携帯電話機１が使用されている可能性が高い。制御部１１は、携帯電話機１が水平な状態に保たれていないと判定すると（Ｓ２３２：ＮＯ）、ステップＳ２０３の処理に進み、スクロール対象領域が終了位置までスクロールされているか否かに応じて、第１制限時間に第１時間または第２時間を設定する（Ｓ２０２、Ｓ２０４）。
【００８６】
一方、ユーザが携帯電話機１を使用しておらず携帯電話機１が机等に置かれた状態にある場合、携帯電話機１は水平な状態に保たれる。よって、携帯電話機１が水平な状態に保たれている場合は、ユーザにより携帯電話機１が使用されていない可能性が高い。制御部１１は、携帯電話機１が水平な状態に保たれていると判定すると（Ｓ２３２：ＹＥＳ）、第１制限時間に第１時間を設定する（Ｓ２０２）。
【００８７】
本変更例によれば、携帯電話機１が水平な状態にある場合は、スクロール対象領域が終了位置までスクロールされているか否かに寄らず、第１制限時間が第２時間に設定されることがない。よって、携帯電話機１が使用されていないにもかかわらず、ディスプレイ３が長く通常の輝度のままに維持されることを防止でき、消費電力を一層抑制できる。
【００８８】
＜変更例４＞
上記実施の形態では、ユーザがスクロール対象領域の表示内容を閲覧している可能性が高い場合に、第１制限時間が長くされる。本変更例では、ユーザがスクロール対象領域の表示内容を閲覧している可能性が高い場合に、第１制限時間に基づくディスプレイ３の減灯が行われない。
【００８９】
図８は、変更例４に係る、省電力制御処理を示すフローチャートである。
【００９０】
本変更例では、図５（ａ）の省電力制御処理に対して、ステップＳ１０１の処理がステップＳ１１５およびＳ１１６の処理に置き換えられる。また、省電力制御処理の開始に際し、第１制限時間には、予め定められた時間（たとえば、第１時間と同じ時間）が設定される。なお、図８では、便宜上、図５（ａ）の省電力制御処理と同じであるステップＳ１０７以降の処理が省略されている。
【００９１】
省電力制御処理が開始されると、制御部１１は、実行画面がスクロール対象領域を含むか否かを判定する（Ｓ１１５）。実行画面がスクロール対象領域を含まない場合（Ｓ１１５：ＮＯ）、制御部１１は、タイマーを作動させ（Ｓ１０２）、携帯電話機１への操作がないまま第１制限時間が経過すると（Ｓ１０３：ＮＯ→Ｓ１０４：ＹＥＳ）、ディスプレイ３の輝度を低下させる（Ｓ１０６）。
【００９２】
実行画面がスクロール対象領域を含む場合（Ｓ１１５：ＹＥＳ）、制御部１１は、スクロール対象領域が終了位置までスクロールされているか否かを判定する（Ｓ１１６）。制御部１１は、スクロール対象領域が終了位置までスクロールされていると判定すると（Ｓ１１６：ＹＥＳ）、ステップＳ１０２の処理に進み、タイマーを作動させる。
【００９３】
一方、制御部１１は、スクロール対象領域が終了位置までスクロールされていないと判定すると（Ｓ１１６：ＮＯ）、ステップＳ１１５の処理へ戻る。こうして、実行画面がスクロール対象領域を含む場合であって、スクロール対象領域が終了位置までスクロールされていない場合には、ステップＳ１１５およびＳ１１６の処理が繰り返され、ステップＳ１０２の処理に進むことがないため、第１制限時間の経過に基づくディスプレイ３の減灯が行われない。
【００９４】
本変更例によれば、上記実施の形態と同様、ユーザが表示内容を閲覧している最中に意図せずディスプレイ３が減灯される可能性が低くなる。さらに、ユーザが表示内容の閲覧を終了して携帯電話機１の使用をやめた場合、早くディスプレイ３を減灯できる。したがって、ユーザの利便性の向上と消費電力の低減を良好に図ることができる。
【００９５】
＜変更例５＞
図９は、変更例５に係る、省電力制御処理を示すフローチャートである。
【００９６】
上記実施の形態では、次の操作が行われないまま第１制限時間が経過すると、ディスプレイ３が減灯され、さらに操作が行われないまま第２制限時間が経過すると、ディスプレイ３が消灯される。しかしながら、本変更例のように、第１制限時間が経過したときに、ディスプレイ３が減灯されずに直ちに消灯されても良い。
【００９７】
本変更例では、図５（ａ）のステップＳ１０６からＳ１１１の処理が削除され、ステップＳ１０４の処理に続いてステップＳ１１２の処理が実行される。制御部１１は、携帯電話機１の操作が行われないまま第１制限時間が経過したと判定すると（Ｓ１０３：ＮＯ→Ｓ１０４：ＹＥＳ）、ディスプレイ３を消灯する（Ｓ１１２）。その後、制御部１１は、タイマーをリセットして（Ｓ１１３）、省電力制御処理を終了する。
【００９８】
本変更例によれば、ユーザが表示内容を閲覧している最中に意図せずディスプレイ３が消灯される可能性が低くなる。さらに、ユーザが表示内容の閲覧を終了して携帯電話機１の使用をやめた場合、早くディスプレイ３を消灯できる。したがって、ユーザの利便性の向上と消費電力の低減を良好に図ることができる。
【００９９】
＜変更例６＞
本変更例では、制御部１１により、省電力制御処理と並行して、予告報知処理が実行される。
【０１００】
図１０は、変更例６に係る、予告報知処理を示すフローチャートである。予告報知処理は、タイマーが作動する度に開始される。
【０１０１】
予告報知処理が開始されると、制御部１１は、タイマーの計測時間が第１制限時間の所定時間前（たとえば、５秒前）になったか否かを監視する（Ｓ３０１）。計測時間が第１制限時間の所定時間前になると（Ｓ３０１：ＹＥＳ）、制御部１１は、予告報知を行う（Ｓ３０２）。たとえば、制御部１１は、音声出力部１６を制御して外部スピーカ７から報知音を出力させる。あるいは、制御部１１は、振動発生部２０を制御してバイブレータを振動させ、キャビネット２を振動させる。
【０１０２】
本変更例によれば、ディスプレイ３が暗くなる前にユーザに予告報知が行われるので、ユーザは、所定の操作を行って、ディスプレイ３が暗くなることを回避させることができる。
【０１０３】
＜変更例７＞
本変更例では、実行画面がスクロール対象領域を含む場合に第１制限時間が長く設定されるアプリケーション（以下、「調整対象のアプリケーション」という）をユーザが設定できる。本変更例では、制御部１１により、ユーザ設定処理が実行される。
【０１０４】
図１１（ａ）は、変更例７に係る、ユーザ設定処理を示すフローチャートである。図１１（ｂ）は、変更例７に係る、ユーザ設定処理においてディスプレイ３に表示されるユー
ザ設定画面の一例を示す図である。
【０１０５】
ユーザにより調整対象のアプリケーションを設定するための操作がなされると、ユーザ設定処理が開始される。制御部１１は、ディスプレイ３にユーザ設定画面を表示する（Ｓ４０１）。たとえば、図１１（ｂ）に示すように、ユーザ設定画面では、携帯電話機１に搭載されたアプリケーションの一覧が、一覧表示領域Ｒ５に表示される。一覧表示領域Ｒ５に対して、上方向または下方向にフリック操作がなされると、一覧表示領域Ｒ５がスクロールして、表示されていなかったアプリケーションが表示される。
【０１０６】
各アプリケーションの表示領域２０１には、アプリケーションの名称の横に、チェックボックス２０２が設けられる。現在、調整対象に設定されているアプリケーションのチェックボックス２０２には、チェックマークが表示される。さらに、ユーザ設定画面には、一覧表示領域Ｒ５の上方に、完了ボタン２０３が配される。
【０１０７】
ユーザは、調整対象に設定されていないアプリケーションを調整対象とする場合、所望のアプリケーションのチェックボックス２０２にタッチする。このチェックボックス２０２には、当初、チェックマークは表示されていない。また、ユーザは、調整対象に設定されているアプリケーションを調整対象から外す場合、所望のアプリケーションのチェックボックス２０２にタッチする。このチェックボックス２０２には、当初、チェックマークが表示されている。
【０１０８】
制御部１１は、何れかのアプリケーションのチェックボックス２０２がタッチされると（Ｓ４０２：ＹＥＳ）、タッチされたチェックボックス２０２にチェックマークが表示されているか否かを判定する（Ｓ４０３）。制御部１１は、チェックボックス２０２にチェックマークが表示されていなければ（Ｓ４０３：ＮＯ）、チェックマークを表示し（Ｓ４０４）、チェックボックス２０２にチェックマークが表示されていれば（Ｓ４０３：ＹＥＳ）、チェックマークを消去する（Ｓ４０５）。
【０１０９】
制御部１１は、完了ボタン２０３がタッチされるまで（Ｓ４０６：ＮＯ）、ステップＳ４０２からステップＳ４０５の処理を繰り返し実行する。完了ボタン２０３がタッチされると（Ｓ４０６：ＹＥＳ）、制御部１１は、チェックボックス２０２にチェックマークが付されたアプリケーションについて、そのアプリケーションを制限時間の調整対象に設定する（Ｓ４０７）。その後、制御部１１は、ユーザ設定画面を閉じてユーザ設定処理を終了する。
【０１１０】
図１２は、変更例７に係る、制限時間調整処理を示すフローチャートである。
【０１１１】
本変更例では、図５（ｂ）の制限時間調整処理に対して、ステップＳ２４１の処理が付加される。制限時間調整処理が開始されると、制御部１１は、ディスプレイ３に表示された実行画面が、ユーザ設定処理により設定された調整対象のアプリケーションに係る実行画面であるか否かを判定する（Ｓ２４１）。ディスプレイ３に表示された実行画面が調整対象のアプリケーションに係る実行画面である場合（Ｓ２４１：ＹＥＳ）、制御部１１は、ステップ２０１の処理へ移行し、実行画面がスクロール対象領域を含み、且つ、スクロール対象領域が終了位置までスクロールされていない場合に（Ｓ２０１：ＹＥＳ→Ｓ２０２：ＮＯ）、第１制限時間に第２時間を設定する（Ｓ２０４）。
【０１１２】
一方、ディスプレイ３に表示された実行画面が調整対象のアプリケーションに係る実行画面でない場合（Ｓ２４１：ＮＯ）、制御部１１は第１制限時間に第１時間を設定する（Ｓ２０２）。
【０１１３】
本変更例によれば、ユーザが必要と考えるアプリケーションについて、ユーザが閲覧中である可能性が高い状況において、無操作時にディスプレイ３が暗くなるまでの時間を延ばすことができる。
【０１１４】
＜その他の変更例＞
上記変更例１ないし上記変更例７の構成は、適宜、組み合わせることができる。
【０１１５】
たとえば、図１３に示すように、変更例１の構成が変更例４の構成に適用された場合、制御部１１は、スクロール対象領域が終了位置までスクロールされていないと判定すると（Ｓ１１６：ＮＯ）、さらに、スクロール対象領域の現在のスクロール位置が、スクロールが開始されてから開始位置と最も離れているか否かを判定する（Ｓ１２１）。現在のスクロール位置が開始位置と最も離れている場合（Ｓ１２１：ＹＥＳ）、制御部１１は、タイマーを作動させる（Ｓ１０２）。一方、現在のスクロール位置が開始位置と最も離れていない場合（Ｓ１２１：ＮＯ）、ステップＳ１１５の処理へ戻り、制御部１１はタイマーを作動させない。
【０１１６】
また、図１４（ａ）に示すように、変更例２の構成が変更例４の構成に適用された場合、制御部１１は、実行画面がスクロール対象領域を含むと判定すると（Ｓ１１５：ＹＥＳ）、次に、撮影部２１を制御してインカメラ８を作動させる（Ｓ１３１）。制御部１１は、顔検出処理を行い（Ｓ１３２）、インカメラ８により顔が撮影されているか否かを判定する（Ｓ１３３）。インカメラ８により顔が撮影されていない場合（Ｓ１３３：ＮＯ）、制御部１１は、タイマーを作動させる（Ｓ１０２）。一方、インカメラ８により顔が撮影されている場合（Ｓ１３３：ＹＥＳ）、制御部１１は、スクロール対象領域が終了位置までスクロールされているか否かを判定する（Ｓ１１６）。
【０１１７】
さらに、図１４（ｂ）に示すように、変更例３の構成が変更例４の構成に適用された場合、制御部１１は、実行画面がスクロール対象領域を含むと判定すると（Ｓ１１５：ＹＥＳ）、次に、向き検出部２２により携帯電話機１の向きを検出し（Ｓ１４１）、携帯電話機１が水平な状態に保たれているか否かを判定する（Ｓ１４２）。携帯電話機１が水平な状態に保たれている場合（Ｓ１４２：ＹＥＳ）、制御部１１は、タイマーを作動させる（Ｓ１０２）。一方、携帯電話機１が水平な状態に保たれていない場合（Ｓ１４２：ＮＯ）、制御部１１は、スクロール対象領域が終了位置までスクロールされているか否かを判定する（Ｓ１１６）。
【０１１８】
さらに、変更例５の構成が変更例４の構成に適用される場合には、図８に示す省電力制御処理のステップＳ１０６からＳ１１１の処理が削除され、ステップＳ１０４の処理に続いてステップＳ１１２の処理が実行される。なお、図８では、ステップＳ１０７以降の処理は省略されている。
【０１１９】
上記実施の形態の制限時間調整処理では、スクロール対象領域が終了位置までスクロールされている場合に、第１制限時間に第１時間が設定される。しかしながら、実行画面がスクロール対象領域を含み、且つ、スクロール対象領域が終了位置までスクロールされている場合は、実行画面がスクロール対象領域を含まない場合に比べて、実行画面内の表示内容がユーザに閲覧されている可能性が高い。よって、スクロール対象領域が終了位置までスクロールされている場合に、第１時間に替えて、第２時間より短く第１時間より長い第３時間が第１制限時間に設定されても良い。
【０１２０】
上記変更例２では、インカメラ８を用いた顔検出により、ユーザが携帯電話機１を使用している可能性が高いか否かの判定が行われる。また、上記変更例３では、携帯電話機１の向きの検出により、ユーザが携帯電話機１を使用している可能性が高いか否かの判定が
行われる。上記変更例２および上記変更例３と同様、ユーザが携帯電話機１を使用している可能性が高いか否かの判定を行うために、照度センサが用いられても良い。
【０１２１】
図１５に示すように、携帯電話機１は、上記実施の形態の構成に加え、照度検出部２３を含む。照度検出部２３は、照度センサを有し、携帯電話機１の周囲の明るさを照度センサにより検出し、検出した照度に応じた検出信号を制御部１１に出力する。図示しないが、照度センサは、たとえば、通話スピーカ６の右側に、そのセンシング部が外部に露出するように配置される。
【０１２２】
図１６に示すように、実行画面がスクロール対象領域を含む場合（Ｓ２０１：ＹＥＳ）、制御部１１は、照度検出部２３により照度を検出する（Ｓ２４１）。制御部１１は、今回の検出照度と記憶部１２に記憶された前回の検出照度とを比較することにより、照度が所定量よりも大きく低下したか否かを判定する（Ｓ２４２）。たとえば、試験等において、携帯電話機１をカバン等に入れたときに生じる照度の変化が測定され、測定値に基づいて所定量が決められる。
【０１２３】
ユーザが携帯電話機１の使用をやめてポケットやカバンに携帯電話機１を入れた場合、携帯電話機１の周囲が急に暗くなり、照度が大きく低下する。制御部１１は、照度が所定量より大きく低下したと判定すると（Ｓ２４２：ＹＥＳ）、スクロール対象領域が終了位置までスクロールされているか否かに関係なく、第１制限時間に第１時間を設定する（Ｓ２０２）。制御部１１は、今回の照度を記憶部１２に記憶して（Ｓ２４３）、制限時間調整処理を終了する。
【０１２４】
なお、照度検出が最初であり、前回の検出照度が記憶部１２に記憶されていない場合、制御部１１は、ステップＳ２４２において、照度が所定量より大きく低下していないと判定する。
【０１２５】
このような構成とすれば、上記変更例２および上記変更例３と同様、携帯電話機１が使用されていないにもかかわらず、ディスプレイ３が長く通常の輝度のままに維持されることを防止でき、消費電力を一層抑制できる。
【０１２６】
なお、本変更例の構成は、変更例１ないし変更例７の構成と、適宜、組み合わせることができる。
【０１２７】
上記実施の形態では、第２制限時間は調整されない。しかしながら、第１制限時間が長い時間（第２時間）に設定された場合に、第２制限時間も長い時間に設定されても良い。
【０１２８】
上記変更例２の構成では、図７（ａ）に示すように、インカメラ８により顔が撮影されている場合に、スクロール位置が終了位置であるか否かが判定される。しかしながら、スクロール位置が終了位置であるか否かの判定が削除されても良い。この場合、ディスプレイ３に表示された画面がスクロール対象領域を含み、且つ、インカメラ８により顔が撮影されている場合、スクロール位置に関係なく、制御部１１は、第１制限時間に第２時間を設定する。
【０１２９】
同様に、図１４（ａ）の構成においても、スクロール位置が終了位置であるか否かの判定が削除されても良い。この場合、ディスプレイ３に表示された画面がスクロール対象領域を含み、且つ、インカメラ８により顔が撮影されている場合、スクロール位置に関係なく、制御部１１は、タイマーを作動させず、第１制限時間に基づく減灯を行わない。
【０１３０】
上記実施の形態では、スマートフォン型の携帯電話機に本発明が適用されている。しか
しながら、これに限らず、ストレート式、折りたたみ式、スライド式等、他のタイプの携帯電話機に本発明が適用されても良い。
【０１３１】
さらに、本発明は、携帯電話機に限られず、パーソナルコンピュータ、ＰＤＡ（PersonalDigital Assistant）、タブレットＰＣ（Tablet PC）、ミュージックプレイヤー、ナビゲーションシステム、電子書籍端末等、各種の電子機器に適用可能である。
【０１３２】
この他、本発明の実施形態は、特許請求の範囲に示された技術的思想の範囲内において、適宜、種々の変更が可能である。
【符号の説明】
【０１３３】
２  キャビネット
３  ディスプレイ
１１  制御部（表示制御部、報知制御部、設定部）
１３  画像出力部（表示部）
１４  タッチ検出部（操作受付部）
１６  音声出力部（報知部）
２０  振動発生部（報知部）
２１  撮影部
２２  向き検出部
２３  照度検出部
【図１】
2014191543.tif 000003
【図２】
2014191543.tif 000004
【図３】
2014191543.tif 000005
【図４】
2014191543.tif 000006
【図５】
2014191543.tif 000007
【図６】
2014191543.tif 000008
【図７】
2014191543.tif 000009
【図８】
2014191543.tif 000010
【図９】
2014191543.tif 000011
【図１０】
2014191543.tif 000012
【図１１】
2014191543.tif 000013
【図１２】
2014191543.tif 000014
【図１３】
2014191543.tif 000015
【図１４】
2014191543.tif 000016
【図１５】
2014191543.tif 000017
【図１６】
2014191543.tif 000018